(57)【要約】【課題】装置の設置状態を自動で検出し、検出結果に応じて記号などの表示を自動的に設置状態に対応する向きになるようにして、動作状態を容易に確認することを可能にする。【解決手段】光情報記録再生装置１は、フォーカス定常偏差検出手段６、トラッキング定常偏差検出手段７、フォーカス時間偏差検出手段８を備え、各検出手段によって検出されるフォーカス定常偏差Ｖｆ、トラッキング定常偏差Ｖｔおよびフォーカス時間偏差Ｔｆと、それぞれに対応して予め定められる基準値とを比較することによって、装置が縦置であるか横置であるかの設置状態を自動的に判定する。設置状態の判定結果に応じ、縦置横置切換手段１１が縦置信号または横置信号を出力する。表示制御手段１２は、縦置横置切換手段１１からの出力信号に応答し、装置の設置状態に対応する向きに記号等を表示手段１３に表示する。【選択図】      図１
2004247012.tif 000002
【特許請求の範囲】
【請求項１】
光によって光記録媒体に情報を記録再生する光情報記録再生装置において、
光を放射する光源と、
光源から放射される光を前記光記録媒体に集光する対物レンズと、
前記光記録媒体の情報記録面に対物レンズの焦点を合わせるように対物レンズを駆動させる駆動電圧の偏差であるフォーカス定常偏差Ｖｆを検出するフォーカス定常偏差検出手段と、
フォーカス定常偏差検出手段による検出値と、予め定める第１基準値とを比較することによって縦置または横置のいずれであるかを判定する判定手段と、
判定手段の出力に応じて縦置横置切換信号を出力する縦置横置切換手段と、
縦置横置切換手段から出力される縦置横置切換信号に応じて表示制御信号を出力する表示制御手段と、
表示制御手段による表示制御信号に応じて記号および／または画像を表示する表示手段とを含むことを特徴とする光情報記録再生装置。
【請求項２】
前記光記録媒体のトラックに対物レンズを追随させるように対物レンズを駆動させる駆動電圧の偏差であるトラッキング定常偏差Ｖｔを検出するトラッキング定常偏差検出手段と、
トラッキング定常偏差検出手段による検出値と、予め定める第２基準値とを比較することによって縦置または横置のいずれであるかを判定する判定手段とを、さらに含むことを特徴とする請求項１記載の光情報記録再生装置。
【請求項３】
前記光記録媒体の情報記録面に対物レンズの焦点を合わせるように対物レンズを移動させる移動時間の偏差であるフォーカス時間偏差Ｔｆを検出するフォーカス時間偏差検出手段と、
フォーカス時間偏差検出手段による検出値と、予め定める第３基準値とを比較することによって縦置または横置のいずれであるかを判定する判定手段とを、さらに含むことを特徴とする請求項１または２記載の光情報記録再生装置。
【発明の詳細な説明】
【０００１】
【発明の属する技術分野】
本発明は、光情報記録再生装置に関する。
【０００２】
【従来の技術】
従来、オーディオビデオ装置や情報通信装置などは、正面図における装置寸法の長手方向が水平になるように置く横置で使用されることが多く、装置構成も横置で動作するように製作されていたけれども、美観の点から、また設置スペース削減の点から、前述の横置に対して９０度傾けた装置寸法の短手方向が水平になるように置く縦置で使用するように製作された装置も増加している。さらに近年では、使用者の利便性を考慮し、縦置横置のいずれの設置状態であっても、動作することの可能な両置き対応の装置も多用されるに至っている。
【０００３】
前述の両置き対応の装置は、使用者にとって利便性の高いものであるけれども、装置に備えられる動作状態を示す記号や画像の表示される表示部が、縦置または横置のいずれか一方の設置状態で正常な向きで表示されると、他方の設置状態では９０度傾いて表示され、使用者が動作状態を確認する上で極めて不都合であるという問題がある。
【０００４】
このような問題を解決する従来技術に、ビデオテープレコーダ（略称ＶＴＲ）に、縦置横置切替手段、表示制御手段および表示手段を設けることによって、ＶＴＲが縦置または横置のいずれであっても、表示の向きが正常になるようにして動作状態を確認できるようにするものがある（たとえば、特許文献１参照）。
【０００５】
しかしながら、特許文献１に開示される技術には、ＶＴＲが縦置であるか横置であるかの信号を入力する切替スイッチ、または縦置横置切替手段に縦置であるか横置であるかの検知信号を入力するタッチパネルなどの入力手段を設けなければならないという問題がある。
【０００６】
【特許文献１】
特開平４−１５９５９３号公報
【０００７】
【発明が解決しようとする課題】
本発明の目的は、装置の設置状態を自動で検出し、検出結果に応じて記号などの表示を自動的に設置状態に対応する向きになるようにして、動作状態を容易に確認することのできる光情報記録再生装置を提供することである。
【０００８】
【課題を解決するための手段】
本発明は、光によって光記録媒体に情報を記録再生する光情報記録再生装置において、
光を放射する光源と、
光源から放射される光を前記光記録媒体に集光する対物レンズと、
前記光記録媒体の情報記録面に対物レンズの焦点を合わせるように対物レンズを駆動させる駆動電圧の偏差であるフォーカス定常偏差Ｖｆを検出するフォーカス定常偏差検出手段と、
フォーカス定常偏差検出手段による検出値と、予め定める第１基準値とを比較することによって縦置または横置のいずれであるかを判定する判定手段と、
判定手段の出力に応じて縦置横置切換信号を出力する縦置横置切換手段と、
縦置横置切換手段から出力される縦置横置切換信号に応じて表示制御信号を出力する表示制御手段と、
表示制御手段による表示制御信号に応じて記号および／または画像を表示する表示手段とを含むことを特徴とする光情報記録再生装置である。
【０００９】
本発明に従えば、フォーカス定常偏差検出手段によって検出したフォーカス定常偏差Ｖｆと、予め定める第１基準値とを比較することによって、設置状態が縦置または横置のいずれであるかを自動的に判定する。さらに縦置であるか横置であるかを自動で判定した結果に基づいて、縦置横置切換手段が、縦置横置切換信号を出力し、表示制御手段が、縦置横置切換信号に応じて表示制御信号を出力して、縦置または横置のいずれかの設置状態に対応した向きに記号等を表示手段に表示する。このことによって、使用者が、装置の設置の向きに関する検知信号を入力することなく、自動的に縦置であるか横置であるかが検出され、検出結果に応じて自動的に、動作状態を示す記号等が設置の向きに対応するように表示されるので、使用者が動作確認を容易に行なうことのできる光情報記録再生装置が実現される。
【００１０】
また本発明は、前記光記録媒体のトラックに対物レンズを追随させるように対物レンズを駆動させる駆動電圧の偏差であるトラッキング定常偏差Ｖｔを検出するトラッキング定常偏差検出手段と、
トラッキング定常偏差検出手段による検出値と、予め定める第２基準値とを比較することによって縦置または横置のいずれであるかを判定する判定手段とを、さらに含むことを特徴とする。
【００１１】
本発明に従えば、フォーカス定常偏差検出手段によって検出したフォーカス定常偏差Ｖｆと予め定める第１基準値との比較に加え、さらにトラッキング定常偏差検出手段によって検出したトラッキング定常偏差Ｖｔと、予め定める第２基準値とを比較することによって、設置状態が縦置または横置のいずれであるかを自動的に判定する。このことによって、一層高い精度で、縦置または横置いずれかの設置状態を、自動で検知することが可能になる。
【００１２】
また本発明は、前記光記録媒体の情報記録面に対物レンズの焦点を合わせるように対物レンズを移動させる移動時間の偏差であるフォーカス時間偏差Ｔｆを検出するフォーカス時間偏差検出手段と、
フォーカス時間偏差検出手段による検出値と、予め定める第３基準値とを比較することによって縦置または横置のいずれであるかを判定する判定手段とを、さらに含むことを特徴とする。
【００１３】
本発明に従えば、フォーカス定常偏差Ｖｆと第１基準値との比較および／またはトラッキング定常偏差Ｖｔと第２基準値との比較に加え、さらにフォーカス時間偏差検出手段によって検出したフォーカス時間偏差Ｔｆと、予め定める第３基準値とを比較することによって、設置状態が縦置または横置のいずれであるかを自動的に判定する。このことによって、一層高い精度で、縦置または横置いずれかの設置状態を、自動で検知することが可能になる。
【００１４】
【発明の実施の形態】
図１は、本発明の実施の一形態である光情報記録再生装置１の構成を簡略化して示すブロック図である。光情報記録再生装置１は、光によって光記録媒体２（光ディスクと表記することもある）に情報を記録再生することに用いられる。ここで、光情報記録再生装置の「記録再生」なる用語は、記録および／または再生の意味、すなわち記録機能と再生機能との少なくともいずれか一方を備えるものの意味において用いられ、両方の機能を備えなければならないものに限定することを意味しない。したがって、本発明の光情報記録再生装置としては、コンパクトディスク（略称ＣＤ）プレーヤー、ＣＤレコーダー、デジタルバーサタイル（略称ＤＶＤ）プレーヤー、ＤＶＤレコーダーなどが挙げられる。
【００１５】
光情報記録再生装置１は、光を放射する光源（図示を省略）と、光源から放射される光を光記録媒体２に集光する対物レンズ３と、対物レンズ３の駆動を制御するサーボドライバ４と、処理回路であるマイクロコンピュータ５（略称マイコン）と、光記録媒体２の情報記録面に対物レンズ３の焦点を合わせるように対物レンズ３を駆動させる駆動電圧の偏差であるフォーカス定常偏差Ｖｆを検出するフォーカス定常偏差検出手段６と、光記録媒体２のトラックに対物レンズ３を追随させるように対物レンズ３を駆動させる駆動電圧の偏差であるトラッキング定常偏差Ｖｔを検出するトラッキング定常偏差検出手段７と、フォーカス定常偏差検出手段６による検出値と予め定める第１基準値とを比較し、またトラッキング定常偏差検出手段７による検出値と、予め定める第２基準値とを比較することによって装置が縦置または横置のいずれであるかを判定する第１判定手段９と、光記録媒体２の情報記録面に対物レンズ３の焦点を合わせるように対物レンズ３を移動させる移動時間の偏差であるフォーカス時間偏差Ｔｆを検出するフォーカス時間偏差検出手段８と、フォーカス時間偏差検出手段８による検出値と、予め定める第３基準値とを比較することによって装置が縦置または横置のいずれであるかを判定する第２判定手段１０と、第１および第２判定手段９，１０の出力に応じて縦置横置切換信号を出力する縦置横置切換手段１１と、縦置横置切換手段１１から出力される縦置横置切換信号に応じて表示制御信号を出力する表示制御手段１２と、表示制御手段１２による表示制御信号に応じて記号および／または画像を表示する表示手段１３とを含む。なお対物レンズ３、フォーカス定常偏差検出手段６およびトラッキング偏差検出手段７は、ピックアップ１４を構成する。
【００１６】
マイコン５は、中央処理装置（ＣＰＵ）、ＲＯＭ、ＲＡＭなどを１チップの大規模集積回路（ＬＳＩ）に集約して搭載した処理回路であり、前述のサーボドライバ４の動作を制御するとともに、ＲＯＭに予めストアされているプログラムに従って光情報記録再生装置１全体の動作制御をも行う。
【００１７】
サーボドライバ４は、マイコン５からの出力信号に基づいて、対物レンズ３を支持するアクチュエータに対して、光記録媒体２の情報記録面に対物レンズ３の焦点を合わせるフォーカシング動作制御、および光記録媒体２のトラックに対物レンズ３を追随させるトラッキング動作制御のための制御信号を出力する。
【００１８】
図２は、フォーカス定常偏差Ｖｆを説明する図である。図２を参照してフォーカス定常偏差Ｖｆについて説明する。光記録媒体２は、情報の記録または再生に際して高速度で回転しているとき、光記録媒体２に集光照射される光の軸に対して平行方向に揺動（以後、面振れと呼ぶ）する。したがって、対物レンズ３は、面振れする光記録媒体２の情報記録面に対して追随し、矢符２０で示す面振れと同方向に移動し、フォーカシングされることが必要である。このために対物レンズ３は、強磁性体２１の周囲に巻まわされたコイル２２に、支持体２３を介して一体的に構成されるように装着される。これらの強磁性体２１、コイル２２および支持体２３は、対物レンズ３を駆動させる手段であるアクチュエータに含まれる。
【００１９】
対物レンズ３のフォーカシングは、コイル２２に電圧を印加することによって、コイル２２に一体的に装着される対物レンズ３を光記録媒体２に対して近接／離反させることによって行なわれる。対物レンズ３を中立点（ゼロ点とも呼ぶ）から光記録媒体２に最も近接する位置まで駆動させるのに要したコイル２２に対する印加電圧をＶｎとし、対物レンズ３を中立点から光記録媒体２に最も離反する位置まで駆動するのに要したコイル２２に対する印加電圧をＶｄとするとき、フォーカスの定常偏差Ｖｆは、前述の電圧Ｖｎと電圧Ｖｄとの電圧差（＝Ｖｎ−Ｖｄ）と定義される。フォーカス定常偏差検出手段６は、フォーカス定常偏差である電圧差Ｖｆ（＝Ｖｎ−Ｖｄ）を検出する回路である。
【００２０】
次に、フォーカス定常偏差Ｖｆによって、装置の縦置または横置いずれかの設置状態を検出することのできる理由について説明する。図３は、フォーカス定常偏差Ｖｆによる設置状態検出の原理を説明する図である。
【００２１】
図３（ａ）は、光情報記録再生装置１が縦置されている状態を示す。光情報記録再生装置１が縦置の状態では、光記録媒体２の面振れは水平方向に発生するので、フォーカシングのために駆動される対物レンズ３の駆動方向も面振れ方向と同様に水平である。一方、ピックアップ１４の自重は、垂直方向に作用する。なお、ピックアップ１４は、前述の対物レンズ３、フォーカシング定常偏差検出手段６およびトラッキング定常偏差検出手段７とともに、対物レンズ３をフォーカシングおよびトラッキングさせるための駆動部分を構成する集合部材をも含んで構成される。対物レンズ３の駆動方向とピックアップ１４の自重負荷方向とが直交するので、対物レンズ３を、光記録媒体２に対して近接する方向または離反する方向のいずれの方向に駆動させる場合においても、駆動力に対してピックアップ１４の自重が均等に作用する。したがって、縦置では、対物レンズ３を光記録媒体２に対して最も近接するように駆動させる印加電圧Ｖｎと、最も離反するように駆動させる印加電圧Ｖｄとが、ほぼ同じ値になるので、フォーカス定常偏差Ｖｆ（＝Ｖｎ−Ｖｄ）が小さい。
【００２２】
図３（ｂ）は、光情報記録再生装置１が横置されている状態を示す。光情報記録再生装置１が横置の状態では、光記録媒体２の面振れは垂直方向に発生するので、フォーカシングのために駆動される対物レンズ３の駆動方向も面振れ方向と同様に垂直である。一方、ピックアップ１４の自重は、垂直方向に作用する。対物レンズ３の駆動方向とピックアップ１４の自重負荷方向とが平行であり、対物レンズ３を光記録媒体２に対して近接する方向に駆動させるとき、駆動力に対してピックアップ１４の自重が抵抗として作用するので、ピックアップ１４を持上げる力に相当する電圧を余分に必要とする。逆に対物レンズ３を光記録媒体２に対して離反する方向に駆動させるとき、駆動力に対してピックアップ１４の自重が扶助するように作用するので、駆動に要する電圧が軽減される。
【００２３】
図４は、装置が横置の場合における光記録媒体２に対する対物レンズ３の相対位置とコイル２２に対する印加電圧との関係を示す図である。図４中のライン２４が、光記録媒体２に対する対物レンズ３の相対位置とコイル２２に対する印加電圧との関係を表す。図４に示すように、横置では、前述の理由によって、対物レンズ３を光記録媒体２に対して最も近接するように駆動させる印加電圧Ｖｎが大きく、最も離反するように駆動させる印加電圧Ｖｄが小さくなるので、フォーカス定常偏差Ｖｆ（＝Ｖｎ−Ｖｄ）が大きい。
【００２４】
このようにフォーカス定常偏差Ｖｆを検出し、その大きさに基づいて装置の設置状態を判定することができる。より具体的には、第１基準値Ｖｓ１を予め定めておき、フォーカス定常偏差Ｖｆが、第１基準値Ｖｓ１よりも大きい（Ｖｆ＞Ｖｓ１）とき、横置であると判定し、フォーカス定常偏差Ｖｆが、第１基準値Ｖｓ１よりも小さい（Ｖｆ＜Ｖｓ１）とき、縦置であると判定する。第１基準値Ｖｓ１を定める方法は、特に限定されるものではなく、縦置時におけるフォーカス定常偏差Ｖｆと、横置時におけるフォーカス定常偏差Ｖｆとを識別するに足る値が定められる方法あればよい。本実施の形態では、装置が縦置および横置それぞれの場合について、予めフォーカス定常偏差Ｖｆを測定し、その算術平均値｛（Ｖｆ縦置＋Ｖｆ横置）／２｝を第１基準値Ｖｓ１として用いた。この第１基準値Ｖｓ１は、予め定められて、マイコン５に備わるＲＡＭにストアされる。また第１基準値Ｖｓ１は、フォーカス定常偏差検出手段６にメモリを設けてストアされてもよい。
【００２５】
図５は、トラッキング定常偏差Ｖｔを説明する図である。図５を参照してトラッキング定常偏差Ｖｔについて説明する。光記録媒体２は、情報の記録または再生に際して高速度で回転しているとき、その中心まわりに真円状態を維持しながら回転しているのではなく、若干半径方向に偏心を伴って回転する。したがって、対物レンズ３は、偏心して回転する光記録媒体２のトラックに対して正確に追随して移動し、トラッキングされることが必要である。
【００２６】
このため対物レンズ３には、前述のピックアップ１４にスライドモーター２５が連結され、このスライドモーター２５に電圧を印加し、スライドモーター２５を駆動源として、対物レンズ３が、矢符２６で示す光記録媒体２の偏心方向と同方向である半径方向に駆動される。対物レンズ３のトラッキングは、スライドモーター２５に電圧を印加し、対物レンズ３を、光記録媒体２の半径方向、すなわち光記録媒体２の中心に向う内周方向と光記録媒体２の外縁に向う外周方向とに移動させることによって行なわれる。
【００２７】
対物レンズ３を、中立点から光記録媒体２の最も内周方向に寄った位置まで駆動させるのに要したスライドモーター２５に対する印加電圧をＶｉｎとし、対物レンズ３を、中立点から光記録媒体２の最も外周方向に寄った位置まで駆動するのに要したスライドモーター２５に対する印加電圧をＶｏｕｔとするとき、トラッキングの定常偏差Ｖｔは、前述の電圧Ｖｉｎと電圧Ｖｏｕｔとの電圧差（＝Ｖｉｎ−Ｖｏｕｔ）と定義される。トラッキング定常偏差検出手段７は、トラッキング定常偏差である電圧差Ｖｔ（＝Ｖｉｎ−Ｖｏｕｔ）を検出する回路である。
【００２８】
次に、トラッキング定常偏差Ｖｔによって、装置の縦置または横置いずれかの設置状態を検出することのできる理由について説明する。図６は、トラッキング定常偏差Ｖｔによる設置状態検出の原理を説明する図である。
【００２９】
図６（ａ）は、光情報記録再生装置１が縦置されている状態を示す。光情報記録再生装置１が縦置の状態では、光記録媒体２の偏心は垂直方向に発生するので、トラッキングのために駆動される対物レンズ３の駆動方向も偏心方向と同様に垂直である。一方、ピックアップ１４の自重は、垂直方向に作用する。対物レンズ３の駆動方向とピックアップ１４の自重負荷方向とが平行であり、対物レンズ３を光記録媒体２の内周方向に駆動させるとき、駆動力に対してピックアップ１４の自重が抵抗として作用するので、ピックアップ１４を持上げる力に相当する電圧を余分に必要とする。逆に対物レンズ３を光記録媒体２の外周方向に駆動させるとき、駆動力に対してピックアップ１４の自重が扶助するように作用するので、駆動に要する電圧が軽減される。
【００３０】
図７は、装置が縦置の場合における光記録媒体２の半径方向における対物レンズ３の相対位置とスライドモーター２５に対する印加電圧との関係を示す図である。図７中のライン２７が、光記録媒体２の半径方向における対物レンズ３の相対位置とスライドモーター２５に対する印加電圧との関係を表す。図７に示すように、縦置では、前述の理由によって、対物レンズ３を光記録媒体２の最も内周方向に寄った位置まで駆動させる印加電圧Ｖｉｎが大きく、最も外周方向に寄った位置まで駆動させる印加電圧Ｖｏｕｔが小さくなるので、トラッキング定常偏差Ｖｔ（＝Ｖｉｎ−Ｖｏｕｔ）が大きい。
【００３１】
図６に戻って、図６（ｂ）は、光情報記録再生装置１が横置されている状態を示す。光情報記録再生装置１が横置の状態では、光記録媒体２の偏心は水平方向に発生するので、トラッキングのために駆動される対物レンズ３の駆動方向も偏心方向と同様に水平である。一方、ピックアップ１４の自重は、垂直方向に作用する。対物レンズ３の駆動方向とピックアップ１４の自重負荷方向とが直交するので、対物レンズ３を、光記録媒体２の内周方向または外周方向いずれの方向に駆動させる場合においても、駆動力に対してピックアップ１４の自重が均等に作用する。したがって、横置では、対物レンズ３を光記録媒体２の最も内周方向に寄った位置まで駆動させる印加電圧Ｖｉｎと、最も外周方向に寄った位置まで駆動させる印加電圧Ｖｏｕｔとが、ほぼ同じ値になるので、トラッキング定常偏差Ｖｔ（＝Ｖｉｎ−Ｖｏｕｔ）が小さい。
【００３２】
このようにトラッキング定常偏差Ｖｔを検出し、その大きさに基づいて装置の設置状態を判定することができる。より具体的には、第２基準値Ｖｓ２を予め定めておき、トラッキング定常偏差Ｖｔが、第２基準値Ｖｓ２よりも大きい（Ｖｔ＞Ｖｓ２）とき、縦置であると判定し、トラッキング定常偏差Ｖｔが、第２基準値Ｖｓ２よりも小さい（Ｖｔ＜Ｖｓ２）とき、横置であると判定する。第２基準値Ｖｓ２を定める方法は、特に限定されるものではなく、縦置時におけるトラッキング定常偏差Ｖｔと、横置時におけるトラッキング定常偏差Ｖｔとを識別するに足る値が定められる方法あればよい。本実施の形態では、装置が縦置および横置それぞれの場合について、予めトラッキング定常偏差Ｖｔを測定し、その算術平均値｛（Ｖｔ縦置＋Ｖｔ横置）／２｝を第２基準値Ｖｓ２として用いた。この第２基準値Ｖｓ２は、予め定められて、マイコン５に備わるＲＡＭにストアされる。また第２基準値Ｖｓ２は、トラッキング定常偏差検出手段７にメモリを設けてストアされてもよい。
【００３３】
図８は、フォーカス時間偏差Ｔｆを説明する図である。図８を参照してフォーカス時間偏差Ｔｆについて説明する。前述のように光記録媒体２は、情報の記録または再生に際して高速度で回転しているとき、光記録媒体２に集光照射される光の軸に対して平行方向に面振れを生じるので、対物レンズ３は光記録媒体２の面振れに追随するようにフォーカス動作制御される。
【００３４】
フォーカス動作制御のとき、前述のフォーカス定常偏差Ｖｆとともに、対物レンズ３を中立点から光記録媒体２に最も近接する位置まで移動させるのに要した時間Ｔｎと、対物レンズ３を中立点から光記録媒体２に最も離反する位置まで移動させるのに要した時間Ｔｄとの時間差（＝Ｔｎ−Ｔｄ）として定義されるフォーカス時間偏差Ｔｆが測定されてもよい。フォーカス時間偏差検出手段８は、フォーカス時間偏差である時間差Ｔｆ（＝Ｔｎ−Ｔｄ）を検出する回路である。
【００３５】
フォーカス時間偏差Ｔｆは、マイコン５の制御信号に基づくサーボドライバ４からピックアップ１４への駆動信号入力によるフォーカシング動作の開始から、対物レンズ３のフォーカスが合ってＲＦ信号が検出されるまでの間において、対物レンズ３の中立点から光記録媒体２に対する最近接位置までおよび最離反位置までの移動時間を測定演算することによって求められる。
【００３６】
次に、フォーカス時間偏差Ｔｆによって、装置の縦置または横置いずれかの設置状態を検出することのできる理由について説明する。図８（ａ）は、光情報記録再生装置１が縦置されている状態を示す。光情報記録再生装置１が縦置の状態では、フォーカシングのために駆動される対物レンズ３の移動方向が水平である。一方、ピックアップ１４の自重は、垂直方向に作用する。対物レンズ３の移動方向とピックアップ１４の自重負荷方向とが直交するので、対物レンズ３を、光記録媒体２に対して近接する方向または離反する方向のいずれの方向に移動させる場合においても、駆動力に対してピックアップ１４の自重が均等に作用し、駆動力に基づく対物レンズ３の移動速度に対して影響を及ぼすことがない。したがって、縦置では、対物レンズ３を光記録媒体２に対して最も近接する位置まで移動させる時間Ｔｎと、最も離反する位置まで移動させる時間Ｔｄとが、ほぼ同じ値になるので、フォーカス時間偏差Ｔｆ（＝Ｔｎ−Ｔｄ）が小さい。
【００３７】
図８（ｂ）は、光情報記録再生装置１が横置されている状態を示す。光情報記録再生装置１が横置の状態では、フォーカシングのために駆動される対物レンズ３の移動方向が垂直である。一方、ピックアップ１４の自重は、垂直方向に作用する。対物レンズ３の移動方向とピックアップの自重負荷方向とが平行であり、対物レンズ３を光記録媒体２に対して近接する方向に移動させるとき、駆動力に対してピックアップの自重が制動するように作用するので、ピックアップ１４の移動速度が遅くなり移動に要する時間が長くなる。逆に対物レンズ３を光記録媒体２に対して離反する方向に移動させるとき、駆動力に対してピックアップ１４の自重が加速するように作用するので、ピックアップ１４の移動速度が速くなり移動に要する時間が短縮される。
【００３８】
図９は、装置が横置の場合における光記録媒体２に対する対物レンズ３の相対位置と移動時間との関係を示す図である。図９中のライン２８が、光記録媒体２に対する対物レンズ３の相対位置と移動時間との関係を表す。図９に示すように、横置では、前述の理由によって、対物レンズ３を光記録媒体２に対して最も近接する位置まで移動させる時間Ｔｎが長く、最も離反する位置まで移動させる時間Ｔｄが短くなるので、フォーカス時間偏差Ｔｆ（＝Ｔｎ−Ｔｄ）が長い。
【００３９】
このようにフォーカス時間偏差Ｔｆを検出し、その大きさに基づいて装置の設置状態を判定することができる。より具体的には、第３基準値Ｔｓ３を予め定めておき、フォーカス時間偏差Ｔｆが、第３基準値Ｔｓ３よりも大きい（Ｔｆ＞Ｔｓ３）とき、横置であると判定し、フォーカス時間偏差Ｔｆが、第３基準値Ｔｓ３よりも小さい（Ｔｆ＜Ｔｓ３）とき、縦置であると判定する。第３基準値Ｔｓ３を定める方法は、特に限定されるものではなく、縦置時におけるフォーカス時間偏差Ｔｆと、横置時におけるフォーカス時間偏差Ｔｆとを識別するに足る値が定められる方法であればよい。本実施の形態では、装置が縦置および横置それぞれの場合について、予めフォーカス時間偏差Ｔｆを測定し、その算術平均値｛（Ｔｆ縦置＋Ｔｆ横置）／２｝を第３基準値Ｔｓ３として用いた。この第３基準値Ｔｓ３は、予め定められて、マイクロコンピュータ５に備わるＲＡＭにストアされる。また第３基準値Ｔｓ３は、フォーカス時間偏差検出手段８にメモリを設けてストアされてもよい。
【００４０】
第１判定手段９は、処理回路であり、フォーカス定常偏差検出手段６およびトラッキング定常偏差検出手段７によってそれぞれ検出されるフォーカス定常偏差Ｖｆおよびトラッキング定常偏差Ｖｔと、マイコン５のＲＡＭから読出した予め定められる第１および第２基準値Ｖｓ１，Ｖｓ２とを比較し、前述したような大小関係に基づいて、装置が縦置であるか横置であるかを判定し、その結果を出力する。
【００４１】
第２判定手段１０は、処理回路であり、フォーカス時間偏差検出手段８によって検出されるフォーカス時間偏差Ｔｆと、マイコン５のＲＡＭから読出した予め定められる第３基準値Ｔｓ３とを比較し、前述したような大小関係に基づいて、装置が縦置であるか横置であるかを判定し、その結果を出力する。
【００４２】
縦置横置切換手段１１は、第１および第２判定手段９，１０の判定結果の出力に応答し、縦置横置切換信号を出力する。すなわち装置が縦置である場合、装置が縦置であることを指示する制御信号である縦置信号を出力し、装置が横置である場合、装置が横置であることを指示する制御信号である横置信号を出力する。
【００４３】
表示制御手段１２は、縦置横置切換手段１１から縦置信号が入力されたとき、装置が縦置の状態で記号および／または画像が正立するような表示制御信号を表示手段１３に出力し、横置信号が入力されたとき、装置が横置の状態で記号および／または画像が正立するような表示制御信号を表示手段１３に出力する。表示手段１３は、たとえば液晶ディスプレイ（略称ＬＣＤ）によって構成され、表示制御手段１２の出力に応答し、記録または再生動作のいずれであるか、またトラック番号や記録／再生時間などに関する記号および／または画像を表示する。
【００４４】
図１０は、図１に示す光情報記録再生装置１における縦横位置自動検出と自動表示動作を説明するフローチャートである。図１０を参照して、光情報記録再生装置１における縦横位置自動検出と自動表示動作を説明する。
【００４５】
ステップｓ０では、光情報記録再生装置１は、光記録媒体２を装着し、作動電源がオンにされてたとえば情報再生動作が可能な状態である。
【００４６】
ステップｓ１では、フォーカス定常偏差検出手段６が、対物レンズ３のフォーカシング過程においてフォーカス定常偏差Ｖｆを検出する。ステップｓ２では、トラッキング定常偏差検出手段７が、トラッキング過程においてトラッキング定常偏差Ｖｔを検出する。ステップｓ３では、フォーカス時間偏差検出手段８が、対物レンズ３のフォーカシング過程においてフォーカス時間偏差Ｔｆを検出する。図１０では、ステップｓ１〜ｓ３のフローが、シリーズで実行されるかのように表されているけれども、実際の動作においてはパラレルに実行され、特にステップｓ１とステップｓ３とは、同じタイミングで実行される。
【００４７】
ステップｓ４では、第１判定手段９が、マイコン５のＲＡＭから第１および第２基準値Ｖｓ１，Ｖｓ２を読出し、ステップｓ１およびステップｓ２で検出されたフォーカシング定常偏差Ｖｆおよびトラッキング定常偏差Ｖｔとの大小関係を比較する。また第２判定手段１０が、マイコン５のＲＡＭから第３基準値Ｔｓ３を読出し、ステップｓ３で検出されたフォーカシング時間偏差Ｔｆとの大小関係を比較する。すなわち本ステップでは、Ｖｆ＜Ｖｓ１、Ｖｔ＞Ｖｓ２およびＴｆ＜Ｔｓ３を満足するか否かが判定される。
【００４８】
ステップｓ４における判定結果が肯定すなわち装置が縦置であると判定されるとき、ステップｓ５へ進み、判定結果が否定すなわち装置が横置であると判定されるとき、ステップｓ６へ進む。ステップｓ５では、縦置横置切換手段１１が、第１および第２判定手段９，１０の縦置であるとの判定結果の出力に応答し、縦置信号を表示制御手段１２に対して出力する。一方、ステップｓ６では、縦置横置切換手段１１が、第１および第２判定手段９，１０の横置であるとの判定結果の出力に応答し、横置信号を表示制御手段１２に対して出力する。
【００４９】
ステップｓ７では、表示制御手段１２が、縦置横置切換手段１１から出力される縦置信号または横置信号に応じ、装置が縦置または横置の状態で正立表示することができるように表示制御信号を表示手段１３に対して出力する。ステップｓ８では、表示制御手段１２から出力される表示制御信号に応答して、表示手段１３であるディスプレイに記号および／または画像が表示されて、一連の動作が終了する。
【００５０】
以上に述べたように本実施の形態では、光情報記録再生装置１は、フォーカス定常偏差検出手段６、トラッキング定常偏差検出手段７およびフォーカス時間偏差検出手段８の３つを備え、縦置または横置の設置状態の判定を、フォーカス定常偏差Ｖｆ、トラッキング定常偏差Ｖｔおよびフォーカス時間偏差Ｔｆの３つの要件にて行なうように構成される。しかしながら、これに限定されることなく、フォーカス定常偏差検出手段６のみを備え、フォーカス定常偏差Ｖｆのみによって設置状態の判定を行なう構成であってもよく、またフォーカス定常偏差検出手段６とトラッキング定常偏差検出手段７との２つを備え、フォーカス定常偏差Ｖｆとトラッキング定常偏差Ｖｔとによって設置状態の判定を行なう構成であってもよく、またフォーカス定常偏差検出手段６とフォーカス時間偏差検出手段８との２つを備え、フォーカス定常偏差Ｖｆとフォーカス時間偏差Ｔｆとによって設置状態の判定を行なう構成であってもよい。
【００５１】
【発明の効果】
本発明によれば、フォーカス定常偏差検出手段によって検出したフォーカス定常偏差Ｖｆと、予め定める第１基準値とを比較することによって、設置状態が縦置または横置のいずれであるかを自動的に判定する。さらに縦置であるか横置であるかを自動で判定した結果に基づいて、縦置横置切換手段が、縦置横置切換信号を出力し、表示制御手段が、縦置横置切換信号に応じて表示制御信号を出力して、縦置または横置のいずれかの設置状態に対応した向きに記号等を表示手段に表示する。このことによって、使用者が、装置の設置の向きに関する検知信号を入力することなく、自動的に縦置であるか横置であるかが検出され、検出結果に応じて自動的に、動作状態を示す記号等が設置の向きに対応するように表示されるので、使用者が動作確認を容易に行なうことのできる光情報記録再生装置が実現される。
【００５２】
また本発明によれば、フォーカス定常偏差検出手段によって検出したフォーカス定常偏差Ｖｆと予め定める第１基準値との比較に加え、さらにトラッキング定常偏差検出手段によって検出したトラッキング定常偏差Ｖｔと、予め定める第２基準値とを比較することによって、設置状態が縦置または横置のいずれであるかを自動的に判定する。このことによって、一層高い精度で、縦置または横置いずれかの設置状態を、自動で検知することが可能になる。
【００５３】
また本発明によれば、フォーカス定常偏差Ｖｆと第１基準値との比較および／またはトラッキング定常偏差Ｖｔと第２基準値との比較に加え、さらにフォーカス時間偏差検出手段によって検出したフォーカス時間偏差Ｔｆと、予め定める第３基準値とを比較することによって、設置状態が縦置または横置のいずれであるかを自動的に判定する。このことによって、一層高い精度で、縦置または横置いずれかの設置状態を、自動で検知することが可能になる。
【図面の簡単な説明】
【図１】本発明の実施の一形態である光情報記録再生装置１の構成を簡略化して示すブロック図である。
【図２】フォーカス定常偏差Ｖｆを説明する図である。
【図３】フォーカス定常偏差Ｖｆによる設置状態検出の原理を説明する図である。
【図４】装置が横置の場合における光記録媒体２に対する対物レンズ３の相対位置とコイル２２に対する印加電圧との関係を示す図である。
【図５】トラッキング定常偏差Ｖｔを説明する図である。
【図６】トラッキング定常偏差Ｖｔによる設置状態検出の原理を説明する図である。
【図７】装置が縦置の場合における光記録媒体２の半径方向における対物レンズ３の相対位置とスライドモーター２５に対する印加電圧との関係を示す図である。
【図８】フォーカス時間偏差Ｔｆを説明する図である。図８を参照してフォーカス時間偏差Ｖｔについて説明する。
【図９】装置が横置の場合における光記録媒体２に対する対物レンズ３の相対位置と移動時間との関係を示す図である。
【図１０】図１に示す光情報記録再生装置１における縦横位置自動検出と自動表示動作を説明するフローチャートである。
【符号の説明】
１  光情報記録再生装置
２  光記録媒体
３  対物レンズ
４  サーボドライバ
５  マイクロコンピュータ
６  フォーカス定常偏差検出手段
７  トラッキング定常偏差検出手段
８  フォーカス時間偏差検出手段
９  第１判定手段
１０  第２判定手段
１１  縦置横置切換手段
１２  表示制御手段
１３  表示手段
【図１】
2004247012.tif 000003
【図２】
2004247012.tif 000004
【図３】
2004247012.tif 000005
【図４】
2004247012.tif 000006
【図５】
2004247012.tif 000007
【図６】
2004247012.tif 000008
【図７】
2004247012.tif 000009
【図８】
2004247012.tif 000010
【図９】
2004247012.tif 000011
【図１０】
2004247012.tif 000012